(57)【要約】【課題】会員のみが利用可能な会員制の施設が、一枚の会員証カードで、施設の利用を会員のみに可能にし、かつ施設の利用に関して決済等の便宜を会員に供与し、しかも会員証カードを紛失しても会員が困らないようにすることを低コストで行なうこと。【解決手段】会員証カードにより会員の入退出を可能にするゲート装置と、各会員のプリペイドのバリュを保管するホストサーバとを備える会員制施設システムであって、会員証カードによりゲート装置を通過して会員制施設に会員が立入るとき、ホストサーバは、立入時刻を登録し、会員証カードによりゲート装置を通過して会員制施設から会員が退出するとき、ホストサーバは、退出時間を登録し、立入時刻から退出時刻までの時間を利用時間として、利用時間に応じた料金を、バリュから差し引くことを特徴とする会員制施設システム。【選択図】なし【特許請求の範囲】
【請求項１】
会員証カードにより会員の入退出を可能にするゲート装置と、各会員のプリペイドのバリュを保管するホストサーバとを備える会員制施設システムであって、会員証カードによりゲート装置を通過して会員制施設に会員が立入るとき、ホストサーバは、立入時刻を登録し、
会員証カードによりゲート装置を通過して会員制施設から会員が退出するとき、ホストサーバは、退出時間を登録し、立入時刻から退出時刻までの時間を利用時間として、利用時間に応じた料金を、バリュから差し引く、
ことを特徴とする会員制施設システム。
【請求項２】
前記会員証カードが、表示する情報を書き換え可能なリライトカードであって、
会員証カードによりゲート装置を通過して会員制施設から会員が退出するとき、ゲート装置は、利用料金の支払いに関する情報を、会員証カードに表示情報として書き込む、
ことを特徴とする請求項１項記載の会員制施設システム。
【請求項３】
会員証カードにより会員の入退出を可能にするゲート装置と、各会員のプリペイドのバリュを保管するホストサーバとを会員制施設に設置し、
会員証カードによりゲート装置を通過して会員制施設に会員が立入るとき、ホストサーバは、立入時刻を登録し、
会員証カードによりゲート装置を通過して会員制施設から会員が退出するとき、ホストサーバは、退出時間を登録し、立入時刻から退出時刻までの時間を利用時間として、利用時間に応じた料金を、バリュから差し引く、
ことを特徴とする会員制施設利用方法。
【請求項４】
前記会員証カードが、表示する情報を書き換え可能なリライトカードであって、
会員証カードによりゲート装置を通過して会員制施設から会員が退出するとき、ゲート装置は、利用料金の支払いに関する情報を、会員証カードに表示情報として書き込む、
ことを特徴とする請求項３項記載の会員制施設利用方法。
【発明の詳細な説明】
【０００１】
【発明の属する技術分野】
本発明は、会員のみが利用可能な会員制の施設、及びその施設を会員が利用する方法に関する。
【０００２】
【従来の技術】
一般に、代金の支払い方法として、プリペイドカードと呼ばれるカードが知られている。このプリペイドカードは、発行時には、購入金額に対応するバリュ（利用可能な金額）が記録されており、代金を支払う度に、その代金がバリュから差し引かれ、バリュが無くなくなると廃棄されるものである。
【０００３】
また一般に、スポーツクラブは、会員だけが利用可能な、運動施設とそれに付随する施設とを備えており、フィットネスクラブ、アスレチッククラブ、ヘルスクラブ、スポーツクラブ等とも呼ばれる。
【０００４】
スポーツクラブには、会員の種類として、一定期間内施設を自由に利用できる会費を徴収される会員や、施設の利用時間に応じた料金を徴収される会員等を設けているところがある。このスポーツクラブでは、各会員に、各会員を識別するバーコードを付した会員証カードを渡し、会員が施設に入退出するとき、バーコードを読み取って入退出の時刻を記録する。そして、施設の利用時間に応じた料金を徴収される会員は、退出する際に、施設に入った時刻から退出する時刻までの時間を施設の利用時間として、施設の利用時間に応じた料金を支払い、入退出の時刻、利用時間、利用料金、消費税などが記されたレシート（領収書）を受け取る。
【０００５】
【発明が解決しようとする課題】
このようなスポーツクラブでは、以下のような問題がある。
【０００６】
第１に、複数会員種類、支払方法が混在しており、各会員に対する処理が煩雑なものとなる。
【０００７】
第２に、支払が現金となる場合があり、安全上問題となることがある。
【０００８】
また、プリペイドカードを発行する場合、以下のような問題が生じる。
【０００９】
第１に、会員は、会員証カードの他に、プリペイドカードも所有することになり、管理が面倒である。
【００１０】
第２に、会員は、プリペイドカードを紛失すると、それに記録されているバリュも失い、何の補償も受けられない。
【００１１】
第３に、プリペイドカードは、それに記録されているバリュが無くなると捨てられるものなので、プリペイドカードによる決済が増えれば殖えるほど、プリペイドカードの発行に伴うコストは増大することになる。
【００１２】
本発明は、このような状況を鑑みて、スポーツクラブに限らず、より一般に、会員のみが利用可能な会員制の施設が、一枚の会員証カードで、施設の利用を会員のみに可能にし、かつ施設の利用に関して決済等の便宜を会員に供与し、しかも会員証カードを紛失しても会員が困らないようにすることを低コストで行なうことを課題とする。
【００１３】
【課題を解決するための手段】
本発明において上記の課題を達成するために、まず請求項１の発明では、会員証カードにより会員の入退出を可能にするゲート装置と、各会員のプリペイドのバリュを保管するホストサーバとを備える会員制施設システムであって、
会員証カードによりゲート装置を通過して会員制施設に会員が立入るとき、ホストサーバは、立入時刻を登録し、
会員証カードによりゲート装置を通過して会員制施設から会員が退出するとき、ホストサーバは、退出時間を登録し、立入時刻から退出時刻までの時間を利用時間として、利用時間に応じた料金を、バリュから差し引く、
ことを特徴とする会員制施設システムとしたものである。
【００１４】
また請求項２の発明では、前記会員証カードが、表示する情報を書き換え可能なリライトカードであって、
会員証カードによりゲート装置を通過して会員制施設から会員が退出するとき、ゲート装置は、利用料金の支払いに関する情報を、会員証カードに表示情報として書き込む、
ことを特徴とする請求項１項記載の会員制施設システムとしたものである。
【００１５】
また請求項３の発明では、会員証カードにより会員の入退出を可能にするゲート装置と、各会員のプリペイドのバリュを保管するホストサーバとを会員制施設に設置し、
会員証カードによりゲート装置を通過して会員制施設に会員が立入るとき、ホストサーバは、立入時刻を登録し、
会員証カードによりゲート装置を通過して会員制施設から会員が退出するとき、ホストサーバは、退出時間を登録し、立入時刻から退出時刻までの時間を利用時間として、利用時間に応じた料金を、バリュから差し引く、
ことを特徴とする会員制施設利用方法としたものである。
【００１６】
また請求項４の発明では、前記会員証カードが、表示する情報を書き換え可能なリライトカードであって、
会員証カードによりゲート装置を通過して会員制施設から会員が退出するとき、ゲート装置は、利用料金の支払いに関する情報を、会員証カードに表示情報として書き込む、
ことを特徴とする請求項３項記載の会員制施設利用方法としたものである。
【００１７】
【発明の実施の形態】
本発明の実施形態を、以下に説明する。
【００１８】
１．本発明の会員制施設システムの構成
本発明の会員制施設システムは、例えば図２に示すように、入口ゲート装置２と、出口ゲート装置３と、ディスプレイ１２と、ホストサーバ４とを備え、入口ゲート装置２、出口ゲート装置３、ディスプレイ１２は、それぞれホストサーバ４に接続される。
【００１９】
図１に示すように、入口ゲート装置２は施設の入口として設置され、また出口ゲート装置３は施設の出口として設置される。また、図１に示すように、入口ゲート装置２の横にカウンター１があり、ディスプレイ１２は、カウンター１の上に置かれる。
【００２０】
尚、一つのゲート装置で、入口ゲート装置２と出口ゲート装置３を兼ねても良いし、入口ゲート装置２、出口ゲート装置３は、それぞれ複数あっても良い。また、ホストサーバ４は、コンピュータシステムである。
【００２１】
施設の外にいる会員は、図３に示すような、会員証カード６の磁気テープ６１に記録されている会員情報を、入口ゲート装置２に読み取らせて、ゲート２３を開いた状態にし、入口ゲート装置２を通過して、施設内に立入る。また、施設の中にいる会員は、会員証カード６の磁気テープ６１に記録されている会員情報を、出口ゲート装置３に読み取らせて、ゲート３３を開いた状態にし、出口ゲート装置３を通過して、施設から退出する。
【００２２】
会員証カード６の磁気テープ６１に記録されている会員情報には、例えば図３に示すように、会員区別、会員番号、氏名、男女区別、成年月日などがある。
【００２３】
会員区別は、会員の種類を識別する一桁の数字である。例えば、「０」をスポット会員、「１」をマンスリー会員、「２」をレギュラー会員、「３」を法人会員とする。もちろん、これ以外の会員の種類があっても良い。また、男女区別は、男女を識別する一桁の数字である。例えば、「０」を男、「１」を女とする。
【００２４】
スポット会員は、施設に立入った時刻をスタートとして、施設から退出した時刻までの時間を利用時間として、利用時間に応じた料金を、プリペイドのバリュから支払う個人である。利用時間に応じた料金は、契約で定められている単位時間当りの料金（例えば、１００円／１５分）を基準にして、計算される。また、各会員のプリペイドのバリュは、ホストサーバ４で保管される。
【００２５】
マンスリー会員は、契約と同時に会費を払い、契約日から１ヶ月間、自由に施設を利用できる個人である。会費は、例えば、３，０００円／月である。
【００２６】
レギュラー会員は、契約と同時に会費を払い、以後会費は毎月銀行引落で支払われることを前提として、契約日から解約日まで、自由に施設を利用できる個人である。会費は、例えば、２，５００円／月である。
【００２７】
法人会員は、法人契約日から解約日まで、会員証カードを持参する者に、自由に施設を利用して貰える法人である。会費は、法人が、法人契約に定められている方法で支払う。
【００２８】
２．処理フロー
ここでは、本発明施設に設置したシステムによる処理フローの例として、スポット会員、マンスリー会員、レギュラー会員、法人会員の処理フローを、図１〜４を参照しながら順に説明する。
【００２９】
２．１．スポット会員の処理フロー
以下に、スポット会員に対する本発明施設に設置したシステムによる処理フローを説明する。
【００３０】
ＳＴＥＰ１；
御客様は、最初に、プリペイドシステム料金表により、入金金額を決定し、カウンター１で料金を支払う。
プリペイドシステム料金表は、図４に示すように、支払金額に対応するバリュを示す表である。御客様は、ホストサーバ４に、スポット会員として登録される。この登録に際して、御客様が支払った料金に対応するバリュは、ホストサーバ４に保存され管理される。
【００３１】
ＳＴＥＰ２；
御客様が施設に立入るとき、入口ゲート装置２は、会員証カード６の磁気テープ６１に記録されている会員情報を読み取る。入口ゲート装置２は、ホストサーバ４にバリュの残額を照会し、残額があれば、ゲート２３を開けた状態にする。そして、ホストサーバ４で自動的に立入り時刻を登録する。
この際、ディスプレイ１２は、ホストサーバ４で保管されているバリュの残額を表示する。残額不足が予想される、或いは残額が無い御客様は予め施設に立入る前に、プリペイドシステム料金表により、入金金額を決定し、カウンター１で料金を支払う。ホストサーバ４は、入金金額に対応するバリュを、残額のバリュに加算する。
【００３２】
ＳＴＥＰ３；
御客様が施設から退出するとき、出口ゲート装置３は、会員証カード６の磁気テープ６１に記録されている会員情報を読み取る。そして、ホストサーバ４で自動的に退出時刻を登録し、立入り時刻から退出時刻までの時間を利用時間として、利用時間に応じた料金を、契約で定められている単位時間当りの料金を基準にして計算し、バリュから減算する。
バリュの残高が足りる場合は、出口ゲート装置３は、ゲート３３を開いた状態にする。
バリュの残高が不足する場合は、御客様がカウンター１で料金充当の後、ゲート３３を開いた状態にする。
【００３３】
初めて施設に来られた御客様に対しては、ＳＴＥＰ１〜３の処理を行なう。他方、スポット会員になった後に施設に来られた御客様に対しては、ＳＴＥＰ２〜３の処理を行なう。
【００３４】
２．２．マンスリー会員の処理フロー
以下に、マンスリー会員に対する本発明施設に設置したシステムによる処理フローを説明する。
【００３５】
ＳＴＥＰ１；
御客様は、最初にマンスリー会員契約をすると同時に会費を支払う。そして、御客様は、ホストサーバ４に、マンスリー会員として登録される。この登録に際して、契約期日及び有効期限は、ホストサーバ４に保存され管理される。
【００３６】
ＳＴＥＰ２；
御客様が施設に立入るとき、入口ゲート装置２は、会員証カード６の磁気テープ６１に記録されている会員情報を読み取る。入口ゲート装置２は、ホストサーバ４に有効期限を照会し、有効期限内であれば、ゲート２３を開いた状態にする。そして、ホストサーバ４で自動的に施設への立入りを登録する。
この際、ディスプレイ１２は、ホストサーバ４で保存されている有効期限を表示する。これにより、御客様は、有効期限を確認できる。
【００３７】
ＳＴＥＰ３；
御客様が施設から退出するとき、出口ゲート装置３は、会員証カード６の磁気テープ６１に記録されている会員情報を読み取る。出口ゲート装置３は、ホストサーバ４に有効期限を照会し、有効期限内であれば、ゲート３３を開いた状態にする。そして、ホストサーバ４で自動的に施設からの退出を登録する。
【００３８】
初めて、或いは有効期限を過ぎて施設に来られた御客様に対しては、ＳＴＥＰ１〜３の処理を行なう。他方、有効期限内に施設に来られた御客様に対しては、ＳＴＥＰ２〜３の処理を行なう。
【００３９】
２．３．レギュラー会員の処理フロー
以下に、レギュラー会員に対する本発明施設に設置したシステムによる処理フローを説明する。
【００４０】
ＳＴＥＰ１；
御客様は、最初にレギュラー会員契約すると同時に会費を支払う。そして、御客様は、ホストサーバ４に、レギュラー会員として登録される。この登録に際して、契約期日及び銀行口座は、ホストサーバ４に保存され管理される。
尚、解約や銀行引落不能などが発生すると、これらに関する情報も、ホストサーバ４に保存され管理される。
【００４１】
ＳＴＥＰ２；
御客様が施設に立入るとき、入口ゲート装置２は、会員証カード６の磁気テープ６１に記録されている会員情報を読み取る。入口ゲート装置２は、ホストサーバ４に解約や銀行引落不能が発生していないか照会し、発生していなければ、ゲート２３を開いた状態にする。そして、ホストサーバ４で自動的に施設への立入りを登録する。
【００４２】
ＳＴＥＰ３；
御客様が施設から退出するとき、出口ゲート装置３は、会員証カード６の磁気テープ６１に記録されている会員情報を読み取る。出口ゲート装置３は、ホストサーバ４に解約や銀行引落不能が発生していないか照会し、発生していなければ、ゲート３３を開いた状態にする。そして、ホストサーバ４で自動的に施設からの退出を登録する。
【００４３】
初めて施設に来られた御客様、或いはレギュラー会員契約を解除した御客様に対しては、ＳＴＥＰ１〜３の処理を行なう。他方、レギュラー会員契約が有効な御客様に対しては、ＳＴＥＰ２〜３の処理を行なう。
【００４４】
２．４．法人会員の処理フロー
以下に、法人会員に対する本発明システムによる処理フローを説明する。
【００４５】
ＳＴＥＰ１；
御客様は、最初に法人会員手続を行なう。そして、御客様は、ホストサーバ４に法人会員として登録される。
尚、法人会員契約の解除がなされると、これに関する情報も、ホストサーバ４に保存され管理される。
【００４６】
ＳＴＥＰ２；
御客様が施設に立入るとき、入口ゲート装置２は、会員証カード６の磁気テープ６１に記録されている会員情報を読み取る。入口ゲート装置２は、ホストサーバ４に法人会員契約の解除がなされていないか照会し、解除されていなければ、ゲート２３を開いた状態にする。そして、ホストサーバ４で自動的に施設への立入りを登録する。
【００４７】
ＳＴＥＰ３；
御客様が施設から退出するとき、出口ゲート装置３は、会員証カード６の磁気テープ６１に記録されている会員情報を読み取る。出口ゲート装置３は、ホストサーバ４に法人会員契約の解除がなされていないか照会し、解除されていなければ、ゲート３３を開いた状態にする。そして、ホストサーバ４で自動的に施設からの退出を登録する。
【００４８】
法人会員手続前、或いは法人会員契約解除後では、ＳＴＥＰ１〜３の処理が行なわれる。他方、法人会員契約が有効な間では、ＳＴＥＰ２〜３の処理が行なわれる。
【００４９】
３．リライト会員証カード
会員証カードに、表示する情報を書換可能なリライトカードを用いても良い。図５に、会員証カードにリライトカードを用いた例を示す。
【００５０】
図５に示す会員証カードでは、磁気テープ６１と、リライト部６２とを有し、リライト部６２に表示する情報は、リーダライタで書き換えが可能である。
【００５１】
会員証カードにリライトカードを用い、また出口ゲート装置３にリーダライタ機能を有するものを用いることで、スポット会員が、施設から退出するとき、出口ゲート装置３で、レシート（領収書）の発行に代えて、利用料金の支払いに関する情報をリライト部に書き込むことができる。利用料金の支払いに関する情報としては、例えば、施設を利用した月日、施設への立入時刻、施設からの退出時刻、支払った利用料金、利用料金を支払った後のバリュの残金などがある。
【００５２】
図５に示す会員証カードでは、施設を利用した月日が３月２０日、施設への立入時刻が１０時５０分、施設からの退出時刻が１５時５分、支払った利用料金が１，５００円、利用料金を支払った後のバリュの残金が８，５００円である。
【００５３】
４．ＩＣカードによる会員証カード
これまで、会員証カードは、磁気テープを有する磁気カードであり、この磁気テープに会員情報を記録するするものとして来たが、磁気テープの代りに、或いは磁気テープとともに他の記録媒体を有し、この記録媒体に会員情報を記録しても良い。このような会員証カードの例としては、ＩＣチップを有するＩＣカードが挙げられる。
【００５４】
５．本実施形態での効果
本実施形態には、以下に列挙する効果がある。
【００５５】
第１に、複数会員種類、支払方法が混在することにより、各会員に対する処理が煩雑になる場合でも、容易に対処できる。
【００５６】
第２に、現金による支払いを少なくするか或いは無くすことができるので、安全性を向上できる。
【００５７】
第３に、御客様の所持するカードは、会員証カード一枚のみになる。
【００５８】
第４に、全会員種類すべてで共通のゲート装置で入退出を管理可能となる。
【００５９】
第５に、既存の使い捨て型プリペイドカードに比べてランニングコストが圧倒的に削減される。
【００６０】
第６に、ホストサーバで各会員のプリペイドのバリュを保管するので、御客様が会員証カードを紛失しても、バリュが失われることがない。
【００６１】
第７に、ホストサーバで、会員証カードの有効・無効情報を保管し、ゲート装置が、会員証カードの磁気テープから会員情報を読み取ったとき、その会員証カードの有効・無効をホストサーバに照会し、その会員証が無効であればゲートを閉じた状態にすることで、御客様が会員証カードを紛失しても、事前に紛失した会員証カードをホストサーバ側で無効にするだけで、紛失した会員証カードの不正使用を防止できる。
【００６２】
第８に、御客様が、会員の種類の変更を希望する場合でも、磁気テープやリライト部の会員区分を書き換えるだけで、会員証カードをそのまま利用できる。
【００６３】
以上、本実施形態は、一枚の会員証カードで、施設の利用を会員のみに可能にし、かつ施設の利用に関して決済等の便宜を会員に供与し、しかも会員証カードを紛失しても会員が困らないようにすることを低コストで行なうことが可能になるという効果がある。
【００６４】
【発明の効果】
請求項１及び３の発明は、会員証カードがプリペイドカードを兼ね、しかも、ホストサーバでプリペイドのバリュを保管しているので、会員証カードを紛失してもバリュは失われることが無く、プリペイドカードの発行に伴うコストを削減できるという効果がある。また、受付での清算時間が不要となり、効率が向上するという効果がある。また、受付の人員の削減をすることができ、人件費の削減をすることができるという効果がある。また、現金の支払回数が少なくなるので、安全性を向上できるという効果がある。
【００６５】
請求項２及び４の発明は、会員証カードに、利用料金の支払いに関する情報が表示されるので、レシートを発行する必要が無くなるという効果がある。
【００６６】
さらに、本発明の実施形態のように、会員証カードに記録されている会員情報をゲート装置が読み取り、読み取った会員情報に応じた処理をすれば、複数会員種類、支払方法が混在することにより、各会員に対する処理が煩雑になる場合でも、容易に対処できるという効果も生ずる。
【図面の簡単な説明】
【図１】（Ａ）は、本発明システムを設置した会員制施設の出入口の例を、外から眺めた図。
（Ｂ）は、本発明システムを設置した会員制施設の出入口の例を、上から眺めた図。
【図２】本発明システムの構成を例示する図。
【図３】会員証カードの磁気テープに記録されている会員情報を例示する図。
【図４】プリペイドシステム料金表を例示する図。
【図５】会員証カードにリライトカードを用いた例を示す図。
【符号の説明】
１…カウンター
２…入口ゲート装置
３…出口ゲート装置
４…ホストサーバ
６…会員証カード
１１…担当者
１２…ディスプレイ
２３…ゲート
３３…ゲート
６１…磁気テープ
６２…リライト部
【図１】
2004021676.tif 000002
【図２】
2004021676.tif 000003
【図３】
2004021676.tif 000004
【図４】
2004021676.tif 000005
【図５】
2004021676.tif 000006